(57)【要約】【課題】  本発明では製本印刷した後、トリマーした印刷物を原稿として読み取った場合でも、各原稿のセンターが印刷用紙の中心からずれることなく印字することができる画像入出力装置を提供する。【解決手段】  画像を読み取るための画像入力手段と、画像入力を指示するための操作手段と、読み取った画像を移動するための画像移動手段と、画像を出力する出力手段とを有し、所定のモードが操作手段から指示されたとき、原稿を１枚入力する毎に画像の移動量を自動的に変更することを特徴とする画像入出力装置。【選択図】  図１
2007060264.tif 000002
【特許請求の範囲】
【請求項１】
画像を読み取るための画像入力手段と、
画像入力を指示するための操作手段と、
読み取った画像を移動するための画像移動手段と、
画像を出力する出力手段とを有し、
所定のモードが操作手段から指示されたとき、原稿を1枚入力する毎に画像の移動量を自動的に変更することを特徴とする画像入出力装置。
【請求項２】
請求項１の画像入出力装置において、原稿の枚数、厚さを入力する手段を有し、入力された枚数、厚さを利用して移動量を算出することを特徴とする請求項１の画像入出力装置。
【請求項３】
請求項１の画像入出力装置において、原稿画像の周囲を所定の幅だけ白くする枠けし手段を有し、移動量に応じて自動的に枠の量を変更することを特徴とする請求項１の画像入出力装置。
【発明の詳細な説明】
【技術分野】
【０００１】
本発明は、画像入出力装置に関するものであり、特に複写機を使った製本印刷と呼ばれる1枚の用紙の片面に2枚の画像を配置するモードによって印刷した後、裁断された印刷物を原稿として読み込むときの処理に関する発明である。
【背景技術】
【０００２】
近年、複写機を用いて製本印刷と呼ばれる1枚の用紙の片面に2枚の画像を配置するモードによって印刷し、裁断可能なトリマーによって印刷物の側面を整えるために裁断することも可能になった。
【０００３】
先行技術では複数ページからなる原稿画像データの各ページの画像データを、画像記録後の記録紙を中折りしたときにページ順となるような順番で読み出して記録紙に記録する画像形成装置において、各記録紙における画像の記録位置を中折り線を中心として予め決められた距離だけ対称的にシフトさせるものが開示されている。
【特許文献１】特開平７−２８７４２８号公報
【発明の開示】
【発明が解決しようとする課題】
【０００４】
先行技術はトリマー時に画像をシフトすることであり、それを読み込むところまでは考えられていない。トリマーしてしまった画像を読み込むと通常複写機は用紙の端を基準に読み込みを開始するためトリマーしてしまった用紙を原稿にするとトリマーした分だけ画像のセンターが用紙の中心からずれることになる。
【課題を解決するための手段】
【０００５】
本発明請求項１は、画像を読み取るための画像入力手段と、画像入力を指示するための操作手段と、読み取った画像を移動するための画像移動手段と、画像を出力する出力手段とを有し、所定のモードが操作手段から指示されたとき、原稿を1枚入力する毎に画像の移動量を自動的に変更することを特徴とする画像入出力装置である。
【０００６】
本発明請求項２は、請求項１の画像入出力装置において、原稿の枚数、厚さを入力する手段を有し、入力された枚数、厚さを利用して移動量を算出することを特徴とする請求項１の画像入出力装置である。
【０００７】
本発明請求項３は、請求項１の画像入出力装置において、原稿画像の周囲を所定の幅だけ白くする枠けし手段を有し、移動量に応じて自動的に枠の量を変更することを特徴とする請求項１の画像入出力装置である。
【発明の効果】
【０００８】
本発明により、製本印刷した後、トリマーした印刷物を原稿として読み取った場合でも、センターが用紙の中心からずれることなく印字することができる。
【発明を実施するための最良の形態】
【０００９】
（実施例１）
以下、本発明にかかる一実施形態について、図面を参照して詳細に説明する。
【００１０】
図２は、本発明の実施例を示す画像形成装置システムの全体の構成を説明するブロック図である。本画像形成装置200は、画像入力デバイスであるスキャナ部2070、画像出力デバイスであるプリンタ部2095、Controller Unit 2000、ユーザーインターフェースである操作部2012から構成される。スキャナ部2070、プリンタ部2095、操作部2012は、それぞれController Unit 2000に接続され、Controller Unit 2000は、LAN 2011などのネットワーク伝送手段、公衆回線に接続されている。公衆回線からはカラー画像送信を含むG3、G4ファックスによる送信が可能である。また、LAN 2011には、画像形成装置200と同様の機器構成をもつ他の画像形成装置220、230が接続されえている。また、パーソナルコンピュータ（以下PC）240が接続されていて、FTP,SMBプロトコルを使用したファイルの送受信、電子メールの送受信ができる。またPCからは公知のPDLプリンタドライバを介したプリントデータが各装置に対して送信される。画像形成装置220、230は、それぞれスキャナ部2270、2370、プリンタ部2295、2395、操作部2212、2312を持ち、それらがController Unit 2200、2300に接続されている。
【００１１】
図３は、画像形成装置の構成を説明するブロック図である。Controller Unit 2000は画像入力デバイスであるカラースキャナ2015や画像出力デバイスであるプリンタ2017と接続し、一方ではLAN2008や公衆回線(WAN)2051接続することで、画像情報やデバイス情報の入出力を行う為のコントローラである。 CPU2001はシステム全体を制御するコントローラである。RAM2002はCPU2001が動作するためのシステムワークメモリであり、画像データを一時記憶するための画像メモリでもある。ROM2003はブートROMであり、システムのブートプログラムが格納されている。HDD2004はハードディスクドライブで、システムソフトウェア、画像データを格納する。操作部I/F2005は操作部(UI)2006とインターフェース部で、操作部2006に表示する画像データを操作部2006に対して出力する。また、操作部2006から本システム使用者が入力した情報を、CPU2001に伝える役割をする。Network2007はLAN2008に接続し、情報の入出力を行う。Modem2050は公衆回線2051に接続し、画像情報の入出力を行う。2値画像回転2052、および2値画像圧縮・伸張2053はModem2053で2値画像を送信する前に画像の方向を変換したり、所定の解像度、あるいは相手能力に合わせた解像度に変換するためのものである。圧縮、伸張はJBIG、MMR、MR、MH をサポートしている。DMAC2009はDMAコントローラであり、RAM2002に格納されている画像をCPU2001を介することなく読み取りImageBusI/F2011に対して画像転送する、もしくは画像バスからの画像をCPU2001を介することなくRAM2002に書き込む。以上のデバイスがシステムバス2008に接続される。ImageBus2011は画像バス2010を介して高速な画像の入出力を制御するためのインタフェースである。圧縮器2012は画像バス2010に画像を送出する前に３２画素x３２画素の単位でJPEG圧縮するための圧縮器である。伸張器2013は画像バス2010を介して送られた画像を伸張するための伸張器である。
【００１２】
ラスターイメージプロセッサ(RIP)2018はホストコンピュータからのPDLコードをNetwork2007を介して受け取り、システムバス2008を通して、CPU2001がRAM2002に格納する。CPU2001はPDLを中間コードに変換し、再度システムバス2008を介してRIP2018に入力し、ビットマップイメージ（多値）に展開する。スキャナ画像処理2014はスキャナ2015からのカラー画像、白黒画像に対して、適切な各種画像処理（たとえば補正、加工、編集）を行い出力する（多値）。同様にプリンタ画像処理2016はプリンタ2017に対して適切な各種画像処理（たとえば補正、加工、編集）を行うプリント時は伸張2013で2値多値変換を行うので、2値、および多値出力が可能である。画像変換部2030はRAM上にある画像を画像変換し、再度、RAM2030に下記戻すときに使われる各種画像変換機能を有する。回転器2019は３２画素×３２画素単位の画像を指定された角度で回転でき、2値、および多値の入出力に対応している。変倍器2020は画像の解像度を変換（たとえば600dpiから200dpi）したり、変倍したりする機能（たとえば25%から400%まで）を有する。変倍する前には３２×３２画素の画像を32ライン単位の画像に並び替える。色空間変換2021は多値入力された画像をマトリクス演算、およびLUTにより、たとえばメモリ上にあるYUV画像をLab画像に変換し、メモリ上に格納する。また、この色空間変換は3×8のマトリクス演算および、1次元LUTをもち、公知の下地とばしや裏写り防止を行うことができる。さらにYUVカラー画像をYやNDという白黒画像に変換する機能も持っている。変換された画像は多値で出力される。2値多値変換2022は1bit2値画像を多値8bit、256階調にする。逆に多値2値変換2025はたとえばメモリ上にある8bit、256階調の画像を誤差拡散処理などの手法により1bit、2階調に変換し、メモリ上に格納する。合成はメモリ上の2枚の多値画像画像を合成し、1枚の多値画像にする機能を有する。たとえば、メモリ上にある会社ロゴの画像と原稿画像を合成することで、原稿画像に簡単に会社ロゴをつけることができる。間引き2024は多値画像の画素を間引くことで、解像度変換を行うユニットであり1/2,1/4,1/8の多値画像を出力可能である。変倍2020と合わせて使うことで、より広範囲な拡大、縮小を行うことができる。移動2025は入力された2値画像、多値画像に余白部分をつけたり、余白部分を削除したりして出力することができる。回転2019、変倍2020、色空間変換2021、2値多値2022、合成2023、間引き2024、移動2025、多値2値2026ははそれぞれ連結して動作することが可能で、たとえばメモリ上の多値画像を画像回転、解像度変換する場合は、両処理をメモリを介さずに連結して行うことができる。
【００１３】
図４に画像の形式を示す。本発明で使用される画像の形式は特開2001-103473で開示されている画像パケット構造を利用する。圧縮2012ではラスター形式の画像を、図４のごとく３２×３２画素単位のパケットとして並び替え、パケット単位でJPEG圧縮を行う。同時にパケットにパケットの位置を示すID、色空間、QテーブルID、データ長などの情報を付加してヘッダーとする。文字、写真を示す2値のデータ（像域フラグ）も同様に圧縮して、JPEGの後ろに付随させる。図５にパケットデータを示す。伸張2013ではこのヘッダー情報をもとにJPEGを展開し、ラスター画像に並び替える。このようなパケット画像にすることで、画像回転のときにはパケット内部の画像のみを回転し、パケットIDの位置を変更することで、部分的に伸張圧縮で回転することができるため非常に効率がよい。ImageBus2010を流れる画像はすべてパケット画像になる。
【００１４】
FAX送信や2値画像回転2052、2値画像圧縮、伸張2053などでラスタ画像が必要な場合は、パケット画像からラスタ画像への変換をソフトウェアによって行う。
【００１５】
図６にスキャナ画像処理2014の詳細説明を示す。スキャナから入力されたRGB各8bitの輝度信号は画像領域イネーブル生成部2510により、使用者からの指示に基づいて原稿画像領域の必要部分の区間を後段の画像処理に流すよう設定される。ここには入力画像を３２×３２画素単位になるように余分に画像を読み取るよう設定しておく。その後、マスキング2501によりCCDのフィルタ色に依存しない標準的なRGB色信号に変換される。フィルタ2502ではたとえば9×9のマトリクスを使用し、画像をぼかしたり、メリハリをつける処理が行われる。ヒストグラム2503は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のRGBデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやHDDに保存、管理され、印刷や送信時の画像処理に使用される。ガンマ2504では画像全体の濃度を濃くあるいは薄くするように処理が行われる。たとえば入力画像の色空間を任意の色空間に変換したり、入力系の色味に関する補正処理を行う部分である。2511の画像シフトでは主走査、副走査とも３２×３２画素以内のシフト機能を有しており、入力された画像をどちら方向へシフトするのか、および、シフトすることによりパディングの位置が変わるため、その色を指定できるようになっている。
【００１６】
原稿がカラーか白黒かを判断するために変倍前の画像信号を色空間変換2505によって公知のLabに変換する。このうちa,bは色信号成分を表しており、比較器2505内の所定のレベル以上であれば有彩色、そうでなければ無彩色として1bitの判定信号を比較器2505から出力する。カウンタ2507は比較器からの出力を計測する。文字／写真判定2508は画像から文字エッジを抽出し、画像を文字と写真に分離する機能である。出力として、文字写真判定信号が得られる。この信号（像域信号）も画像とともにメモリやＨＤに格納され、印刷時に使用される。2509は2値化器であり、RGB各8bitの信号からND信号と呼ばれる信号を生成（ND=(R+2G+B)/4）し、固定もしくは変動スライスレベルの閾値で2値化する。2510はカウンタであり、2値化された信号の画素をカウントする。2512であらかじめ設定されている所定の値とカウント値を比較することによって、白紙判定結果を保持することができる。
【００１７】
図７にプリンタ画像処理2016の詳細説明を示す。
【００１８】
2601は画像データの地色を飛ばし、不要な下地のカブリ除去を行う。例えば、３×８のマトリクス演算や、１次元ＬＵＴにより下地飛ばしを行う。これは前述したように2032にも含まれる機能であり、まったく同等の回路である。2602はカラー画像データをモノクロデータに変換し、単色としてプリントする際に、カラー画像データ（例えばＲＧＢデータ）を、Ｇｒａｙ単色に変換するモノクロ生成部である。例えば、ＲＧＢに任意の定数を掛け合わせ、Ｇｒａｙ信号（NDともいう）とする１×３のマトリクス演算から構成される。2603は画像データの空間周波数を任意に補正するフィルタ処理部であり、例えば９×９のマトリクス演算を行う処理から構成される。2604は出力するプリンタ部の特性に合わせて、ガンマ補正を行う処理であり、通常1次元のＬＵＴから構成される。2605は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。
【００１９】
画像入出力デバイスを図８に示す。画像入力デバイスであるスキャナ部2015は、原稿となる紙上の画像を照明し、CCDラインセンサ(図示せず)を走査することで、ラスターイメージデータとして電気信号に変換する。原稿用紙は原稿フィーダ2701のトレイ2702にセットし、装置使用者が操作部2006から読み取り起動指示することにより、コントローラCPU2001がスキャナ2015に指示を与え、フィーダ2071のトレイ2702から原稿用紙を1枚ずつフィードし原稿画像の読み取り動作を行う。
【００２０】
画像出力デバイスであるプリンタ部2017は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラCPU2001からの指示によって開始する。プリンタ部2095には、異なる用紙サイズまたは異なる用紙向きを選択できるように複数の給紙段を持ち、それに対応した用紙カセット2703、2704、2705がある。また、排紙トレイ2706は印字し終わった用紙を受ける排紙トレイである。
【００２１】
操作部2006の構成を図９に示す。LCD表示部2801は、LCD上にタッチパネルシート2802が貼られており、システムの操作画面およびソフトキーを表示するとともに、表示してあるキーが押されるとその位置情報をコントローラCPU2001に伝える。スタートキー2014は原稿画像の読み取り動作を開始する時などに用いる。スタートキー2803中央部には、緑と赤の2色LED2804があり、その色によってスタートキー2803が使える状態にあるかどうかを示す。ストップキー2805は稼働中の動作を止める働きをする。IDキー2806は、使用者のユーザーIDを入力する時に用いる。リセットキー2807は操作部からの設定を初期化する時に用いる。
【００２２】
図１０は、本実施例の画像形成装置における初期画面であり、各画像形成機能設定後に戻ってくる標準画面でもある。3101はコピー設定を行うための画面切り替えを行う。3102はスキャンした画像をファックスや電子メールで送信する設定を行うための画面切り替えを行う。3103は内蔵HDDにスキャン画像、PDL画像を格納する、あるいは格納されたスキャン画像、PDL画像を印字、あるいは送信する、あるいは編集する設定を行うための画面切り替えを行う。3104は3105のよって設定された画像読み込み時の設定を表示するためのウィンドウである。3105は画像読み込み時の解像度、濃度などを設定する。3106はタイマー送信時のタイマー設定、HDDあるいはプリンタに印字する場合の設定などを行う。3107は3108によって指定された送信宛先の表示を行う。3109は3107に表示された１宛先の詳細な情報の表示を行う。3110は3107に表示された１宛先の消去を行う。
【００２３】
図１１は3105を押下したときに表示されるポップアップウィンドウである。3201は読みとり原稿サイズをポップアップのなかから選択入力し、設定された読みとりサイズは3202に表示される。3203は原稿の読み取りモードを選択するところであり、押下するとカラー/ブラック/自動(ACS)の３種類が選択できる。カラーモードに関してはボックスでも同様に選択ができる。カウンタ2507の計測結果が所定値よりも小さければ白黒原稿、大きければカラー原稿と判断し、カラーの場合はカラー画像を、ブラックの場合には白黒画像を、ACSの場合にはカラー画像と原稿がカラーか白黒かを判別した結果を蓄積する。3204は読みとりの解像度を指定するためポップアップからの選択入力になる。3205は原稿の読み取り濃度を調整するためのスライダーであり、９段階の調整が行える。3206は新聞のように下地がかぶった画像を読み込む場合に、濃度を自動的に決定するためにある。3206についてはコピーでも同様の設定が可能である。
【００２４】
図１２にコピータブ3101を押下したときの画面を示す。3301はコピーできる状態が否かを示すところであり、同時に設定したコピー部数も表示される。3302は3206と同等の機能であり、下地除去を自動的にするかしないかを選択するためのボタンである。3303は3205と同等の機能であり、9段階の濃度調整が可能なスライダである。3304は原稿のタイプを選択するところであり、文字・写真・地図、文字、印画紙写真、印刷写真が選択できる。3305は応用モードボタンであり、縮小レイアウト（複数枚の原稿を1枚の用紙に縮小印字する機能）などが設定できる。3306は各種フィニッシングにかかわる設定を行うボタンであり、シフトソート、ステープルソート、グループソートが設定できる。3307は両面読み込み、および、両面印刷にかかわる設定を行うボタンである。
【００２５】
図１３にボックスタブ3103を押下したときの画面を示す。3401はHDDを論理的に区分した各フォルダを示す。フォルダにはフォルダ番号があらかじめ割り振られており、3401は０番のフォルダになる。フォルダ番号の横にはフォルダで使用しているディスク容量の割合が表示されている。また、フォルダには任意の名前をつけることができ、名前もここに表示される。3402はHDD全体の使用量が表示される。
【００２６】
図１４に3401を押下したときの画面を示す。3501および3502はフォルダに格納されている文書を示す。文書は複数のページで構成されている。3501はスキャンした文書であり、スキャン文書であることを示すアイコン表示、および、HDD使用量、さらにユーザーが任意に設定できる文書名表示を表示している。3502はPDLから格納したPDL文書であるアイコンが表示されている。アイコンを押下することで、その文書が選択されたことが反転表示によって示される。3503は選択された文書を送信するためのボタンである。3504はスキャナから原稿を読み込み、文書を生成するためのボタンである。3505はフォルダ内のすべての文書を選択するためのボタンである。3506は選択された文書を削除するためのボタンである。3507は選択された文書を印刷するためのボタンである。3508は選択された文書を編集するためのボタンである。たとえば2つの文書を選択して、結合し、1つの文書にして保存したり、特定のページを削除する機能を持っている。3509は最後に選択された文書の詳細情報を表示するためのボタンである。文書名以外にも解像度、原稿サイズ、カラーなどの情報をみることができる。
【００２７】
図１５にソフト構成図を示す。4010は表示操作部を制御するUI制御部、UI制御部からの指示を受け、コピー動作、送信動作、ボックス画面からのスキャン、プリントを実行するコピーアプリケーション部4020、送信アプリケーション部4021、BOXアプリケーション部4022がある。またネットワークアプリケーション4120からのPDLプリントデータをうけPDLプリントジョブを投入するPDLアプリケーション部4023がある。4030は機器制御部分の機器依存部分を吸収するための共通インタフェース部分、4040は共通インタフェースから受け取ったジョブ情報を整理し、下位層のドキュメント処理部に伝達するジョブマネージャである。ドキュメント処理部はローカルコピーであればスキャンマネージャ4050とプリントマネージャ4090、リモートコピーの送信ジョブ、あるいは送信ジョブであればスキャンマネージャ4050とファイルストアマネージャ4100、リモートコピーの受信ジョブであればファイルリードマネージャ4060とプリントマネージャ4090、PDLプリントではPDLマネージャ4070とプリントマネージャ4090である。各ドキュメントマネージャ間の同期とり、および各種画像処理を行うイメージマネージャ4110への画像処理の依頼はシンクマネージャ4080を介して行う。スキャン、プリント時の画像処理や画像ファイルの格納はイメージマネージャ4110が行う。
【００２８】
まずローカルコピーのソフト処理について説明する。使用者の指示によりUI制御部4010からコピー指示とともにコピーの設定がコピーアプリケーション部4020に伝わる。コピーアプリケーション部4020はUI制御部4010からの情報を共通インタフェース4030を介して、機器制御を行うジョブマネージャ4040に伝える。ジョブマネージャ4040はスキャンマネージャ4050とプリントマネージャ4090にジョブの情報を伝達する。スキャンマネージャ4050は図示しないデバイスI/F（デバイスI/Fはコントローラ2000とスキャナ2015、およびコントローラ2000とプリンタ2017を結ぶシリアルI/F）を介してスキャナ2070にスキャン要求を行う。また、同時にシンクマネージャ4080を介してイメージマネージャ4110にスキャン用の画像処理要求を出す。イメージマネージャ4110はスキャンマネージャ4050の指示に従って、スキャナ画像処理部2014の設定を行う。設定が完了したら、シンクマネージャ4080を介してスキャン準備完了を伝える。その後スキャンマネージャ4050はスキャナ2070に対してスキャンを指示する。スキャン画像転送完了は図示しないハードウェアからの割り込み信号によってイメージマネージャ4110に伝わる。イメージマネージャ4110からのスキャン完了を受けてシンクマネージャ4080はスキャン完了をスキャンマネージャ4050、プリントマネージャ4090に伝える。同時にシンクマネージャ4080はRAM2002に蓄積された圧縮画像をＨＤＤ2004にファイル化するためイメージマネージャ4110に指示する。イメージマネージャ4110は指示に従ってメモリ上の画像（文字／写真判定信号を含めて）をHDD2004に格納する。画像の付随情報として図示しないＳＲＡＭに下地とばしを行うための下地とばしレベル、画像入力元としてスキャン画像という情報も格納しておく。また、HDD2004への格納が終了し、スキャナ2070からのスキャン完了を受けたら、シンクマネージャ4080を介してスキャンマネージャ4050にファイル化終了を通知する。スキャンマネージャ4050はジョブマネージャ4040に対して終了通知を返し、ジョブマネージャ4040は共通インタフェース4030を介してコピーアプリケーション部4020へ返す。プリントマネージャ4090はメモリに画像が入った時点でデバイスI/Fを介して、プリンタ2095に印刷要求をだす。同時にシンクマネージャ4080にプリント画像処理要求を行う。シンクマネージャ4080はプリントマネージャ4090から要求を受けたら画像処理設定をイメージマネージャ4110に依頼する。イメージマネージャ4110は前記の画像の付随情報に従ってプリンタ画像処理部2015の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をプリントマネージャ4090に伝える。プリントマネージャ4090はプリンタ部からの排紙完了を受け、ジョブマネージャ4040に対して終了通知を返し、ジョブマネージャ4040は共通インタフェース4030を介してコピーアプリケーション部4020へ返す。コピーアプリケーション部4020はスキャン、プリントが終了したらジョブ終了をUI制御部に通知する。
【００２９】
リモートコピーのスキャンジョブ、送信ジョブの場合は、プリントマネージャ4090に代わってストアマネージャ4100がジョブマネージャ4040からの要求を受ける。スキャン画像をHDDに格納し終わった時点で、シンクマネージャ4080から格納完了通知を受け、それを共通インタフェース4030を介してリモートコピーならコピーアプリケーション部4020に、送信ジョブなら送信アプリケーション部4021に通知する。スキャンはカラー・白黒・ACSが可能なためHDDに格納する属性としてカラー、白黒、ACS結果（カラー、白黒）を格納する。コピーアプリケーション部4020、送信アプリケーション4021はこの通知のあと、ネットワークアプリケーション4420に対してHDDに格納されたファイルの送信を依頼する。依頼を受けたネットワークアプリケーション4420がファイルを送信する。ネットワークアプリケーション4420はジョブ開始時にコピーアプリケーション部4020からコピーに関する設定情報を受け、それもリモート側の機器に通知する。ネットワークアプリケーション4420はリモートコピーの場合、機器固有の通信プロトコルを使用して送信を行う。また送信ジョブの場合はFTP、SMBのような標準的なファイル転送プロトコルを使用する。
【００３０】
ファックス送信する場合はファイル格納後、送信アプリケーション4021から共通インタフェース4030、ジョブマネージャ4040を介してFAXマネージャ4041に送信が指示される。FAXマネージャ4041はModem2050を介して、相手機器とネゴシエーションし、必要な画像処理（カラー->白黒変換、多値2値変換、回転、変倍）をイメージマネージャ4110に依頼し、変換後の画像をModemを使って送信する。
【００３１】
また、送信先にプリンタがある場合、送信アプリケーションは共通インタフェース4000を介してプリントジョブとしてプリントの指示を行う。そのときの動作は以下で説明するリモートコピーのプリントジョブの場合と同様である。また、送信宛先が機器内のボックス宛先になっているときはファイルストアマネージャ4100によって機器内のファイルシステムに格納する。
【００３２】
FAX受信時はFAXマネージャがModemを使って画像を受信し、画像ファイルとしてHDD2004に格納する。HDD2004格納後にボックスアプリケーション4021に通知すると、ボックスアプリケーション4021から受信プリントの指示が共通インタフェース4030を介して、ジョブマネージャ4040になされる。その後は通常のボックスプリントジョブと同じ動作になるため省略する。
【００３３】
リモートコピーのプリントジョブの場合は、送信側からの画像をネットワークアプリケーション4420がHDDに保存するとともにコピーアプリケーション部4020に対してジョブを発行する。コピーアプリケーション部4020は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。受信画像をHDDからメモリに展開するための要求をシンクマネージャ4080を介して、イメージマネージャ4110に行う。イメージマネージャ4110はメモリに画像を展開する。イメージマネージャ4110は展開が終了した時点で、展開終了をシンクマネージャ4080を経由して、ファイルリードマネージャ4060とプリントマネージャ4090に伝える。プリントマネージャ4090はメモリに画像が入った時点でデバイスI/Fを介して、プリンタ2017にジョブマネージャから指示された給紙段、もしくはその用紙サイズを有する段を選択し、印刷要求をだす。自動用紙の場合には画像サイズから給紙段を決定し印刷要求をだす。同時にシンクマネージャ4080にプリント画像処理要求を行う。シンクマネージャ4080はプリントマネージャ4090から要求を受けたらプリント画像処理設定をイメージマネージャ4110に依頼する。（このときたとえば最適サイズ用紙がなくなり、回転が必要になれば別途回転指示も依頼する。回転指示があった場合にはイメージマネージャが画像回転2019を使って画像を回転する。）イメージマネージャ4110はプリンタ画像処理部2090の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をファイルリードマネージャ4060とプリントマネージャ4090に伝える。ファイルリードマネージャ4060は終了通知をジョブマネージャ4040に返す。プリントマネージャ4090はプリンタ部からの排紙完了を受け、ジョブマネージャ4040に対して終了通知を返す。ジョブマネージャ4040は共通インタフェース4030を介してコピーアプリケーション部4020へ終了通知を返す。コピーアプリケーション部4020はスキャン、プリントが終了したらジョブ終了をUI制御部に通知する。
【００３４】
PDLデータ展開格納ジョブの場合は、PDLプリントを投入したホストPCからの要求がネットワークアプリケーション4120を経由してPDLアプリケーション4023に伝達される。PDLアプリケーションがPDLデータ展開格納ジョブを共通インタフェース4030を介してジョブマネージャ4040に指示する。このときPDLマネージャ4070とストアマネージャ4100がジョブマネージャ4040からの要求を受ける。画像のRIPが終了した後の画像入力する部分に関しては前述のスキャンジョブと同様である。メモリ上の画像（文字／写真判定信号を含めて）をHDD2004に格納する。画像の付随情報として図示しないＳＲＡＭにカラー/白黒情報、画像入力元としてPDL画像、色空間CMYKもしくはRGBも格納しておく。PDL画像をHDD2004に格納し終わった時点で、シンクマネージャ4080から格納完了通知を受け、それを共通インタフェース4030を介してPDLアプリケーション4023に通知する。ＰＤＬアプリケーション4023はこの通知のあと、ネットワークアプリケーション4420にHDDに格納完了を通知し、PDLプリントを投入したホストPCへこの情報が伝達される。また、PDLプリントジョブの場合にはPDLマネージャ4070とプリントマネージャによって、メモリ上に展開された画像を印字する。
【００３５】
PDL展開され格納された画像のプリントはUIで印刷指示された格納文書をBOXアプリケーションに対してプリントジョブとして発行する。BOXアプリケーション部4022は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。印刷指示された画像をHDDからメモリに展開するための要求をシンクマネージャ4080を介して、イメージマネージャ4110に行う。この後の動作はリモートコピーのプリントジョブで説明した動作と同様のため、省略する。
【００３６】
次に本実施例の中心部となる、製本印刷され、かつトリマーされた原稿の読み込みについて説明する。
【００３７】
図１６に製本印刷された印刷物3枚からなる原稿を上部から見たときの図を示す。合計12ページからなる印刷物であり、ページの順序を数字で表している。この印刷物を中央で折りたたむと内側の用紙の端部と外側の用紙の端部がずれてしまうためトリマーによって裁断する。
【００３８】
図１７に裁断後の印刷物を広げたものを示す。内側の用紙からセンターを中心に合わせ順にならべている。最下段の2,10ページからなる用紙より、4,9ページからなる用紙はｘだけ短い。同様に5,7ページからなる用紙は4,9ページからなる用紙よりもｘだけ短い。
【００３９】
このような用紙を読み取るためのモード設定について説明する。図１８に操作画面を示す。出力用紙はここで選択する。操作部上で3305のボタンを押下すると4201の画面が表示される。このなかで4202が本発明のモード設定のボタンになる。
【００４０】
図１９にこのボタンを押下したときの図を示す。4231は原稿枚数を入力するためのエリアである。ここを押下して操作部のテンキーから原稿枚数を入力するか、4232の自動を押下して、ADFを使った枚数カウント機能を使うことができる。循環型のADFでは循環して枚数をカウントすることが可能である。4232で自動が押下された場合、自動のキーが反転し、4231はグレイアウトされ、再度押下したとき、自動が無効になり、枚数の手動設定が有効になる。
【００４１】
4233は厚さを入力するエリア（単位はｍｍ）である。用紙の種類を選択入力させて、テーブル変換を使ってその種類から厚さを求めてもよい。
【００４２】
図１にこのモードが設定されたときのフローを説明する。4301で用紙の厚さ、枚数を設定する。4302でシフトする量を計算する。シフト量は原稿枚数がN、厚みT(mm)のときn枚目(n=1..N)の原稿で
Sn=（N-n）xT/2
となる。たとえば用紙の厚さが0.1mmで15枚あると1枚目のシフト量は
S1=(15-1)x0.1/2=0.7mm
となる。4303で原稿を引き込み原稿の片面を読み込む。すでに表面を読み取っている場合は反転して裏面を読み込む。4304で読み取った画像を4302で求めたシフト量分移動する。4305でシフト量に応じて枠けしを行う。図２０に枠消しの説明図を示す。太線は用紙枠をあらわし5,7ページの画像はSだけシフトされている。そのままではSの部分に原稿の影がでてしまうため、W=S+所定値(所定値はたとえば1mm)分だけ白くマスクする。4306で裏面を読んだかどうかを判断し、まだ読み込んでなければ4309で原稿反転を行い4303で処理を繰り返す。4308で次原稿があるかどうかを判定し、あれば4302で同様の処理を繰り返し、なければ終了する。もちろん画像処理できれば印字を開始してもよい。
【００４３】
以上説明したように実施例では本発明により、製本印刷した後、トリマーした印刷物を原稿として読み取った場合でも、センターが用紙の中心からずれることなく印字することができることを示した。また印刷したとき、原稿の影がでないよう周囲をマスクする方法も示した。
【図面の簡単な説明】
【００４４】
【図１】本発明のフローチャート
【図２】画像形成システムの全体構成を示す図
【図３】画像形成装置の全体構成を示す図
【図４】像の形式を説明するための図
【図５】ケットデータを示す図
【図６】発明のスキャナ画像処理のブロック図
【図７】プリンタ画像処理のブロック図
【図８】画像形成装置の入出力デバイス外観図
【図９】画像形成装置の操作部外観図
【図１０】本実施例の画像形成装置における初期画面
【図１１】3105を押下したときに表示されるポップアップウィンドウ
【図１２】コピータブ3101を押下したときの画面
【図１３】ボックスタブ3103を押下したときの画面
【図１４】3401を押下したときの画面
【図１５】発明のソフト構成を示すソフト構成図
【図１６】製本した印刷物
【図１７】製本した印刷物を並べた図
【図１８】コピーの応用モード操作画面
【図１９】製本読み取りモードの設定操作画面
【図２０】枠消しの説明図
【図１】
2007060264.tif 000003
【図２】
2007060264.tif 000004
【図３】
2007060264.tif 000005
【図４】
2007060264.tif 000006
【図５】
2007060264.tif 000007
【図６】
2007060264.tif 000008
【図７】
2007060264.tif 000009
【図８】
2007060264.tif 000010
【図９】
2007060264.tif 000011
【図１０】
2007060264.tif 000012
【図１１】
2007060264.tif 000013
【図１２】
2007060264.tif 000014
【図１３】
2007060264.tif 000015
【図１４】
2007060264.tif 000016
【図１５】
2007060264.tif 000017
【図１６】
2007060264.tif 000018
【図１７】
2007060264.tif 000019
【図１８】
2007060264.tif 000020
【図１９】
2007060264.tif 000021
【図２０】
2007060264.tif 000022